(57)【要約】【課題】医療用チューブのコネクタに対する接続状態を安定して保持することができる、新規な構造のコネクタ用抜止具と、かかるコネクタ用抜止具を含むコネクタ用抜止具セットを提供する。【解決手段】コネクタ用抜止具１４であって、コネクタ１２に接続された医療用チューブ６６に対して巻き付け可能に湾曲された弾性湾曲部３０と、弾性湾曲部３０の周方向一方の側から延び出した第１の延出片部３２と、弾性湾曲部３０の周方向他方の側から延び出した第２の延出片部３４と、それら第１の延出片部３２および第２の延出片部３４の各対向面側に突設されて、弾性湾曲部３０と協働して医療用チューブ６６の外周面に対して締付力を及ぼす第１の締付用突部４４および第２の締付用突部４６とを有する。また、コネクタ用抜止具セット１０として、コネクタ用抜止具１４と、医療用チューブ６６が接続されるコネクタ１２とが、収容体１６に収容されている。【選択図】図６
2015000155.tif 000002
【特許請求の範囲】
【請求項１】
コネクタに設けられた先細テーパ状のポート部を医療用チューブの開口端に挿し入れて接続した該医療用チューブの該コネクタへの接続部に用いられて、該医療用チューブの該コネクタからの抜け出しを防止するコネクタ用抜止具であって、
前記コネクタの前記ポート部に接続された前記医療用チューブの外周面に対して略半周に亘って巻き付け可能に湾曲された帯状の弾性湾曲部と、
前記弾性湾曲部の周方向一方の側から延び出して先端縁部に係止部が設けられた第１の延出片部と、
前記弾性湾曲部の周方向他方の側から延び出して先端部分が前記係止部側に向かって湾曲していると共に、該先端部分の内面に該係止部が係止される係止面が設けられた第２の延出片部と、
それら第１の延出片部および第２の延出片部の各対向面側に突設されて、前記弾性湾曲部と協働して前記医療用チューブの外周面に対して締付力を及ぼす第１の締付用突部および第２の締付用突部と
を、有することを特徴とするコネクタ用抜止具。
【請求項２】
前記弾性湾曲部には貫通窓が形成されており、周方向に延びる複数本のコード状湾曲体によって該弾性湾曲部が構成されている請求項１に記載のコネクタ用抜止具。
【請求項３】
前記第１の締付用突部および前記第２の締付用突部が、前記第１の延出片部および前記第２の延出片部の延び出し方向両側に傾斜面を有する山形状とされている請求項１又は２に記載のコネクタ用抜止具。
【請求項４】
請求項１〜３の何れか１項に記載されたコネクタ用抜止具と、
医療用チューブが接続される先細テーパ状のポート部を備えたコネクタと
を、収容体に収容したことを特徴とするコネクタ用抜止具セット。
【請求項５】
前記医療用チューブを含んで供給用ラインが形成される栄養剤を収容した栄養剤バッグが更に組み合わされている請求項４に記載のコネクタ用抜止具セット。
【発明の詳細な説明】
【技術分野】
【０００１】
本発明は、医療用チューブのコネクタへの接続部に用いられるコネクタ用抜止具と、かかるコネクタ用抜止具を含むコネクタ用抜止具セットに関する。
【背景技術】
【０００２】
従来から、医療分野では、医療用チューブ（カテーテル等を含む）によって構成された輸液ラインや輸血ラインなどが利用されている。かかる医療用チューブは、その端部において栄養剤バッグや分岐管などに接続されることにより、例えば患者の体内へ薬液や血液、栄養剤などの流動体を注入するための輸液ラインや輸血ラインを構成するようになっている。
【０００３】
ところで、栄養剤バッグや分岐管などにおける医療用チューブの接続部位には、一般に特許文献１（実用新案登録第３１１８１９８号公報）に示されているような先細テーパ状のポート部を備えたコネクタが採用されている。コネクタのポート部が先細テーパ状とされていることで、かかるポート部を医療用チューブの端部に対して容易に挿し入れて接続できるようになっている。
【０００４】
ところが、このような医療用チューブの接続部位では、コネクタのポート部が先細テーパ状とされていること等から、予期せずに医療用チューブがポート部から離脱（抜脱）するおそれがあった。特に、高粘性の栄養剤等を比較的に高い圧力で医療用チューブ内に流通させる場合や、滑り易い薬液等が医療用チューブへのポート部の挿入面間に侵入した場合には、医療用チューブのポート部からの抜脱が一層発生し易くなる。
【０００５】
なお、かかる問題への対策として、特許文献２（特開２００４−８１４３３号公報）に示されているようなロックリングを医療用チューブの端部に設けて、コネクタのポート部の外周面に設けられた雄ねじ部に対してロックリングを締め付けてねじ固定することも考えられる。ところが、このようなねじ固定構造は、医療用チューブとコネクタに対してロックリングの雄ねじ部を設ける必要があることから製造が難しく、また、医療用チューブのコネクタへの着脱の度にねじ操作が必要とされることから操作が面倒で時間もかかるという問題があった。
【０００６】
また、コネクタのポート部が挿し入れられた医療用チューブの端部外周面に対して洗濯ばさみの如き周知構造の締付具を装着することにより抜脱を防止することも検討した。しかしながら、洗濯ばさみの如き周知構造の締付具では、医療用チューブを径方向両側から挟み付けるだけであるから、効果的な抜脱防止作用が発揮され難く、挟み付け力を大きくすると手指による着脱作業が困難になってしまうという問題があった。しかも、洗濯ばさみ状の構造上の理由から、手指による操作力を及ぼす力点部分が、医療用チューブを挟む作用点部分に対して、支点部分を挟んで反対側に向かって大きく突き出してしまうこととなり、この大きく突き出した力点部分が邪魔になったり、他部材に引っ掛かって不用意に締付具が外れてしまうおそれもあった。
【先行技術文献】
【特許文献】
【０００７】
【特許文献１】実用新案登録第３１１８１９８号公報
【特許文献２】特開２００４−８１４３３号公報
【発明の概要】
【発明が解決しようとする課題】
【０００８】
ここにおいて、本発明は上述の如き事情を背景として為されたものであって、その解決課題とするところは、医療用チューブのコネクタに対する接続状態を安定して保持することができると共に、洗濯ばさみ状の締付具のように力点部分が外方へ大きく突き出することによる不具合も回避される、新規な構造のコネクタ用抜止具と、かかるコネクタ用抜止具を含むコネクタ用抜止具セットを提供することにある。
【課題を解決するための手段】
【０００９】
かかる課題を解決するために、本発明の特徴とするところは、コネクタに設けられた先細テーパ状のポート部を医療用チューブの開口端に挿し入れて接続した該医療用チューブの該コネクタへの接続部に用いられて、該医療用チューブの該コネクタからの抜け出しを防止するコネクタ用抜止具であって、前記コネクタの前記ポート部に接続された前記医療用チューブの外周面に対して略半周に亘って巻き付け可能に湾曲された帯状の弾性湾曲部と、前記弾性湾曲部の周方向一方の側から延び出して先端縁部に係止部が設けられた第１の延出片部と、前記弾性湾曲部の周方向他方の側から延び出して先端部分が前記係止部側に向かって湾曲していると共に、該先端部分の内面に該係止部が係止される係止面が設けられた第２の延出片部と、それら第１の延出片部および第２の延出片部の各対向面側に突設されて、前記弾性湾曲部と協働して前記医療用チューブの外周面に対して締付力を及ぼす第１の締付用突部および第２の締付用突部とを、有する医療分野で用いられるコネクタ用抜止具にある。
【００１０】
本発明に従う構造とされたコネクタ用抜止具は、第１の延出片部と第２の延出片部とに対して相互に接近させる方向の操作力が外部から及ぼされることにより、弾性湾曲部の曲率が大きくなる方向に弾性変形すると共に、第１及び第２の締付用突部が相互に接近する方向に相対変位する。そして、係止部を係止面に係止させることで、第１の延出片部と第２の延出片部とを相互に接近した状態に保持されることができる。
【００１１】
而して、このような係止部の係止面に対する係止状態では、弾性湾曲部と第１及び第２の締付用突部とによって囲まれた医療用チューブの挿通領域が小さく絞られることとなり、それら弾性湾曲部と第１及び第２の締付用突部とによって、コネクタのポート部に外挿された医療用チューブの開口端の外周面に対して、実質的に半周を越える周長に亘って締付力が及ぼされることとなる。
【００１２】
従って、前述の如き洗濯ばさみ状の締付具が単に径方向両側から挟み付けるだけであるのに対して、周上で締付力を及ぼすことのできる本発明のコネクタ用抜止具では、医療用チューブに対して大きな抜止力を効率的に作用させることが可能になり、医療用チューブをコネクタのポート部への接続状態に一層安定して保持することができる。
【００１３】
しかも、本発明に係るコネクタ用抜止具では、弾性湾曲部上に位置する支点に対して、操作力が及ぼされる力点が位置する第１及び第２の延出片部と、医療用チューブに締付力を及ぼす作用点としての弾性湾曲部と第１及び第２の締付用突部が、何れも、同じ側に位置して設けられることから、支点を中心として互いに反対側に力点と作用点が位置する前述の如き洗濯ばさみ状の締付具に比して、全体サイズをコンパクトにすることができる。
【００１４】
さらに、本発明に係るコネクタ用抜止具では、医療用チューブに巻き付けられる弾性湾曲部から延び出す第２の延出片部が第１の延出片部側に湾曲して、それら第１の延出片部と第２の延出片部の各先端側部分が相互に係止されて装着されることから、かかる装着状態においてコネクタ用抜止具の全体が周方向でつながったループ状とされる。それ故、一対の力点部分が外方へ大きく突き出す前述の如き洗濯ばさみ状の締付具に比して、力点としての第１及び第２の延出片部の先端が外方に大きく突き出すことがなく、大きな突き出しによる他部材への干渉等の不具合が回避され得る。
【００１５】
ところで、本発明に係るコネクタ用抜止具では、前記弾性湾曲部には貫通窓が形成されており、周方向に延びる複数本のコード状湾曲体によって該弾性湾曲部が構成されている態様が、好適に採用され得る。
【００１６】
このような貫通窓が形成された弾性湾曲部の構造を採用することにより、医療用チューブの周方向に延びるコード状湾曲体によって、コネクタのポート部に外挿された医療用チューブに対して大きな締付力を集中的に作用させて締め付けによる抜止効果の向上を図ることが可能になる。特に前記特許文献１に記載されているように、例えばポート部の外周面に抜止用段部が形成されている場合には、かかる段部に対するコード状湾曲体の係止作用を利用することも可能であり、それによって医療用チューブの抜止効果の更なる向上が図られ得る。
【００１７】
また、本発明に係るコネクタ用抜止具では、前記第１の締付用突部および前記第２の締付用突部が、前記第１の延出片部および前記第２の延出片部の延出方向両側に傾斜面を有する山形状とされている態様が、好適に採用され得る。
【００１８】
このような山形状の第１及び第２の締付用突部を採用することにより、それらの締付用突部の強度を効率的に確保することが出来ると共に、医療用チューブを弾性湾曲部と協働して締め付けるのに一層効率的な位置に、第１及び第２の締付用突部の医療用チューブへの押付位置を設定することができる。
【００１９】
さらに、本発明は、上述の如き本発明に従う構造とされたコネクタ用抜止具を、医療用チューブが接続される先細テーパ状のポート部を備えたコネクタと組み合わせて、収容体に収容してなるコネクタ用抜止具セットも、特徴とする。
【００２０】
このようなコネクタ用抜止具セットとすることにより、サイズが良好に適合するコネクタとコネクタ用抜止具とを医療現場へ効率的に提供することが出来て、その管理も容易となる。また、かかるコネクタ用抜止具セットには、コネクタ用抜止具の使用方法を説明した印刷物等を追加して組み合わせることも可能であり、それによって、コネクタ用抜止具の正しい使用による医療用チューブの抜脱防止効果がより確実に達成され得る。
【００２１】
また、かかるコネクタ用抜止具セットでは、更に、前記医療用チューブを含んで供給用ラインが形成される栄養剤を収容した栄養剤バッグがセットに追加されて組み合わされていても良い。
【００２２】
特に粘度の大きい栄養剤を患者に供給する胃瘻チューブや経腸チューブでは、コネクタへの接続部に大きな流動抵抗力が抜脱方向に作用することとなるが、本発明に係るコネクタ用抜止具セットを採用してコネクタ用抜止具で固定することにより、かかる抜脱が防止されて安定した輸液ラインが実現可能となる。
【発明の効果】
【００２３】
本発明に従う構造とされたコネクタ用抜止具およびコネクタ用抜止具セットにおいては、弾性湾曲部と第１及び第２の締付用突部とによって医療用チューブの外周面を締め付けるようにして、医療用チューブに対してコネクタからの抜止力を効率的に及ぼすことができる。
【００２４】
しかも、本発明に係るコネクタ用抜止具およびコネクタ用抜止具セットでは、支点部分に対する力点部分および作用点部分が同じ側に設けられることから、全体サイズをコンパクトにできると共に、洗濯ばさみ状の締付具のように力点部分が外方へ大きく突き出することによる他部材への干渉等の不具合も回避される。
【図面の簡単な説明】
【００２５】
【図１】本発明の実施形態としてのコネクタ用抜止具セットの斜視図。
【図２】図１に示されたコネクタ用抜止具セットを構成するコネクタの斜視図。
【図３】図２に示されたコネクタの栄養剤バッグへの装着状態を例示する縦断面図。
【図４】図１に示されたコネクタ用抜止具セットを構成するコネクタ用抜止具の斜視図。
【図５】図４に示されたコネクタ用抜止具の別の斜視図。
【図６】図１に示されたコネクタ用抜止具セットの使用状態を例示する斜視図。
【図７】図６に示されたコネクタ用抜止具セットの使用状態の縦断面図。
【図８】図１に示されたコネクタ用抜止具セットについて、図２とは別の使用状態を例示する斜視図。
【発明を実施するための形態】
【００２６】
以下、本発明の実施形態について、図面を参照しつつ説明する。先ず、図１には、本発明の実施形態としてのコネクタ用抜止具セット１０が示されている。このコネクタ用抜止具セット１０は、輸液ラインにおける医療用チューブの接続部を協働して構成するコネクタ１２とコネクタ用抜止具１４を含んで構成されている。これらコネクタ１２とコネクタ用抜止具１４が、樹脂袋などの収容体１６に密封状態で封入されて滅菌状態で医療現場に提供されるようになっている。なお、図１に示されているように、コネクタ用抜止具セット１０の使用方法を記載した説明書（Ｉｎｓｔｒｕｃｔｉｏｎ  Ｍａｎｕａｌ）も、収容体１６へ同封または添付等されることにより、併せて提供されることが好ましい。
【００２７】
より詳細には、コネクタ１２は、図２に示されているように、中心軸上を直線的に延びる貫通孔１８を備えた管状体とされており、軸方向中間部分より先端側（図２中の左斜め下方側）は、外周面が先細のテーパ形状とされたポート部２０とされている。また、このポート部２０の外周面には、周方向に延びる環状の段差部２２が、軸方向に所定間隔で複数設けられている。
【００２８】
一方、コネクタ１２の基端側（図２中の右斜め上方側）は、大径のねじ式接続部２４とされており、図３に示されているように、市販の栄養剤バッグ２６の取出口２８に対してねじ固定可能とされている。即ち、栄養剤バッグ２６には雄ねじ式の取出口２８が設けられており、この取出口２８に適合するように、貫通孔１８の開口部が大径化されると共に内周面に雌ねじが形成されることによって、取出口２８に対してねじ固定可能なねじ式接続部２４が構成されている。なお、ねじ式接続部２４の外周面には、凹凸が付されており、栄養剤バッグ２６の取出口２８への着脱に際しての手指による作業性の向上が図られている。
【００２９】
また、コネクタ用抜止具１４は、図４〜５に示されているように、略半円筒状に湾曲した弾性湾曲部３０の周方向両端から第１及び第２の延出片部３２，３４が延び出して一体形成された構造を有している。
【００３０】
弾性湾曲部３０は、略一定の外幅寸法と厚さ寸法を有する帯状とされている。特に本実施形態では、弾性湾曲部３０において、幅方向の中央部分を湾曲方向の略全長に亘って延びる幅広の貫通窓３６が形成されており、それによって、弾性湾曲部３０が、貫通窓３６の両側を湾曲方向に延びる２本のコード状湾曲体３８，３８によって構成されている。
【００３１】
第１及び第２の延出片部３２，３４は、弾性湾曲部３０の湾曲方向の各一方の端部から、それぞれ、弾性湾曲部３０と略同じ一定の外幅寸法をもって接線方向に延び出している。これら第１及び第２の延出片部３２，３４の外面には、それぞれ凹凸が付されており、第１及び第２の操作面４０，４２が形成されている。
【００３２】
また、第１及び第２の延出片部３２，３４の各内面は、互いに所定距離を隔てて対向位置しており、延び出し方向の中間部分においてそれぞれ対向方向に向かって突出する第１及び第２の締付用突部４４，４６が形成されている。これら第１及び第２の締付用突部４４，４６は、何れも、第１及び第２の延出片部３２，３４の延び出し方向の両側に傾斜面を有する山形状とされている。そして、第１及び第２の締付用突部４４，４６の各突出先端部は、何れも、円弧状断面をもって幅方向の略全長に亘って一定高さで延びる稜線構造とされている。なお、第１及び第２の締付用突部４４，４６には、それぞれ、幅方向両端面に開口する一対の肉抜部４８，４８が形成されている。
【００３３】
さらに、第１の延出片部３２の延び出し方向の先端側は、第１の締付用突部４４によって実質的に厚肉化されて剛性が大きくされていると共に、先端縁部が鋭角な先細状断面を有する係止部５０とされている。
【００３４】
一方、第２の延出片部３４の延び出し方向の先端側には、第１の延出変部３２側に向かって略１／４周の円弧状に湾曲して、係止部５０に向かって立ち上がる立上湾曲部５２が設けられている。なお、この立上湾曲部５２における立ち上がりの基端部分には、弾性湾曲部３０と同様な幅広の貫通窓５４が形成されており、立上湾曲部５２の有効断面積ひいては弾性等が適切に調節されている。
【００３５】
また、第２の延出片部３４の立上湾曲部５２には、その先端側から板状に立ち上がる立上板状部５６が設けられており、この立上板状部５６に係止溝５８が形成されている。この係止溝５８は、立上板状部５６の内面に開口して、立上板状部５６の幅方向全長に亘って直線的に延びるようにして形成されている。また、かかる係止溝５８は、略Ｖ字形の断面形状とされており、立上板状部５６の先端側の係止溝５８内面が、立上板状部５６の内面に対して略直角に切れ込んだ係止面６０とされている。
【００３６】
そして、コネクタ用抜止具１４に外力が及ぼされていないフリーな開放状態では、第１の延出片部３２と第２の延出片部３４の各先端面が互いに所定距離を隔てて対向位置している。また、第１の延出片部３２の先端縁部は、第２の延出片部３４の立上板状部５６の立ち上がり方向の上方にまで被さるように延び出していると共に、これら第１の延出片部３２と第２の延出片部３４の各先端面は、対向面が略平行な傾斜案内面６２，６４とされている。
【００３７】
而して、かかるコネクタ用抜止具１４は、図４，５に示された開放状態から第１及び第２の延出片部３２，３４を手の指先で摘むようにして第１及び第２の操作面４０，４２に対して操作力を及ぼして、締付状態とすることができる。即ち、かかる操作力により、第１の延出片部３２と第２の延出片部３４を相互に接近させる方向に外力が加えられると、弾性湾曲部３０が、その曲率を大きくする方向に弾性変形させられる。それに伴って、第１及び第２の延出片部３２，３４の両傾斜案内面６２，６４が相互に当接し、更に、第１の延出片部３２の係止部５０が第２の延出片部３４の立上板状部５６を外方に押し広げて、立上湾曲部５２を曲率が小さくなる方向に弾性変形させつつ、立上板状部５６の基端側へ向かって係止部５０が摺動することとなる。そして、かかる係止部５０が、立上板状部５６の係止溝５８に達すると、立上湾曲部５２の弾性によって係止部５０が係止溝５８に入り込んで、係止部５０が係止面６０に当接することにより、係止部５０が係止面６０に係止される。その後は、手指による外力を解除しても、係止部５０が係止面６０への係止作用に基づき、弾性湾曲部３０の弾性に抗して、第１及び第２の延出片部３２，３４が相互の接近状態に保持された締付状態が実現されることとなる。
【００３８】
この締付状態では、コネクタ用抜止具１４において、弾性湾曲部３０の曲率半径が小さく維持されると共に、第１及び第２の締付用突部４４，４６の両突出先端部が互いに接近状態に保持される。それ故、これら弾性湾曲部３０と第１及び第２の締付用突部４４，４６とによって囲まれる領域に医療用チューブを挿通することで、かかる医療用チューブに対して締付力を及ぼすことが可能となる。
【００３９】
具体的には、図６，７に、本実施形態のコネクタ用抜止具セット１０を用いて、コネクタ１２に装着された医療用チューブ６６を、コネクタ用抜止具１４で締め付けて抜け止め保持せしめた状態の一例が示されている。なお、図６，７に示されたコネクタ１２は、図３に示されているようにねじ式接続部２４において栄養剤バッグ２６の取出口２８へねじ固定されることにより、コネクタ１２の貫通孔１８が栄養剤バッグ２６の内部に接続されて、栄養剤バッグ２６から体内への医療用チューブ６６等を介した供給ラインが形成されているものであるが、図６，７では、かかる栄養剤バッグ２６の図示を省略する。
【００４０】
そして、かかるコネクタ１２のポート部２０に対して、医療用チューブ６６の一方の端部の開口部分が外挿されて装着されている。なお、ポート部２０の外径寸法は、医療用チューブ６６の内径寸法に対して、その先端部において略同じか僅かに小さいことが望ましい。これにより、医療用チューブ６６にポート部２０を挿し入れる際に、ポート部２０を医療用チューブ６６に深く挿入することが可能とされる。一方、外径寸法が大きくなるポート部２０の基端側においては、医療用チューブ６６が弾性的に拡径変形することにより、ポート部２０に密着して被せられるようになっている。
【００４１】
かかる医療用チューブ６６は、その先端がポート部２０の基端部近くに達する位置まで外挿されており、医療用チューブ６６とコネクタ１２との接続部である医療用チューブ６６の先端近くに対してコネクタ用抜止具１４が装着されて、医療用チューブ６６をポート部２０に対して締め付けて固定するようになっている。
【００４２】
すなわち、コネクタ用抜止具１４には、その弾性湾曲部３０と第１及び第２の締付用突部４４，４６とによって囲まれる領域に対して、コネクタ１２のポート部２０に外挿された医療用チューブ６６が挿通されている。かかる状態下で前述のようにコネクタ用抜止具１４に操作力を及ぼして、第１の延出片部３２の係止部５０を第二の延出片部３４の係止溝５８に係止されることにより、弾性湾曲部３０と第１及び第２の締付用突部４４，４６とによって囲まれる領域が実質的に縮小される。これに伴い、それら弾性湾曲部３０と第１及び第２の締付用突部４４，４６が、医療用チューブ６６の外周面に対して当接して、径方向内方への締付力を及ぼすようになっている。そして、この当接力が、医療用チューブ６６をポート部２０に対して押し付けるように作用する結果、ポート部２０からの医療用チューブ６６の抜け出しが防止されて連結状態に固定的に保持されることとなる。
【００４３】
ここにおいて、上述の如き構造とされたコネクタ用抜止具１４では、弾性湾曲部３０が医療用チューブ６６の略半周に亘って巻き付けられて外周面に圧縮力を及ぼすと共に、第１及び第２の締付用突部４４，４６が医療用チューブ６６を弾性湾曲部３０に向けて径方向に押し付けるように作用する。それ故、医療用チューブ６６を周上の大きな領域に亘って効率的に縮径方向へ締め付けることが出来るのであり、医療用チューブ６６のポート部２０への固定力が効果的に発揮され得る。
【００４４】
特に本実施形態では、弾性湾曲部３０が、周方向に延びる２本のコード状湾曲体３８，３８で構成されていることから、周方向の締付力が医療用チューブ６６に対して集中して効率的に及ぼされることとなる。しかも、ポート部２０の外周面には環状の段差部２２が設けられていることから、コード状湾曲体３８により医療用チューブ６６の軸方向で局所的に作用した周方向の締付力が、医療用チューブ６６の段差部２２への係合力を増大させることとなり、一層大きな抜止作用を発揮し得る。
【００４５】
また、図７に示されているように、例えば一方のコード状湾曲体３８を、医療用チューブ６６を外れた位置でポート部２０の基端部に巻き付けることにより、コード状湾曲体３８をポート部２０の段差部２２に対して直接に係止させることも可能である。これにより、コネクタ用抜止具１４自体のポート部２０からの抜け出しを確実に防止することが出来て、医療用チューブ６６がコネクタ用抜止具１４と一緒にポート部２０から抜け出してしまう不具合も回避される。
【００４６】
そして、このように医療用チューブ６６がポート部２０に対して強固に接続固定されることから、例えば栄養剤バッグ２６から高粘性の栄養剤が大きな圧力で送り出される場合等においても、医療用チューブ６６で構成される輸液ラインが安定して維持され得て、目的とする治療等を安心して行うことが可能になる。
【００４７】
また、上述の構造とされたコネクタ用抜止具１４では、操作力が及ぼされる力点となる第１及び第２の延出片部３２，３４と、医療用チューブ６６に締付力を及ぼす作用点となる弾性湾曲部３０と第１及び第２の締付用突部４４，４６が、支点となる弾性湾曲部３０の周方向中間部分に対して同じ側に位置することとなる。それ故、支点に対して力点と作用点が互いに反対側に位置する例えば洗濯ばさみの如き構造に比して、全体サイズを小さく出来て、他の作業の邪魔になり難いという効果が発揮される。
【００４８】
更にまた、コネクタ用抜止具１４によって医療用チューブ６６を締付固定した状態では、弾性湾曲部３０から周方向両側に延び出した第１及び第２の延出片部３２，３４が各先端部で相互に係止されて、周方向で相互につながった連結状態とされる。これにより、コネクタ用抜止具１４が、全体として環状のエンドレス構造を呈することとなって、例えば洗濯ばさみの如き構造における大きな突き出し部分などが無くなり、他部材の引っ掛かり等に起因してコネクタ用抜止具１４が不用意に外れてしまう不具合も効果的に防止され得る。
【００４９】
以上、本発明の実施形態について詳述してきたが、本発明は上述の具体的な説明によって限定的に解釈されるものでない。例えば、医療用チューブとして、図８に示されている如き分岐ポート６８を備えたＹポートコネクターチューブ７０を採用する場合でも、かかるＹポートコネクターチューブ７０におけるコネクタ１２のポート部２０への接続部位に対して、上述の如きコネクタ用抜止具１４が同様に採用され得る。
【００５０】
また、本発明に係るコネクタ用抜止具１４は、図１に示されているようにコネクタ１２等と組み合わせて販売等する他、コネクタ用抜止具１４の単体で又は使用説明書（Ｉｎｓｔｒｕｃｔｉｏｎ  Ｍａｎｕａｌ）と組み合わせて提供することも可能である。特に医療用では、輸液ラインなどを構成するコネクタや輸液チューブの径寸法が略定まっていることから、コネクタ用抜止具１４を単体で提供し、また、必要に応じて複数サイズを選択できるようにすることで、医療現場で利用することが可能となる。勿論、栄養剤バッグ２６などを更に組み合わせてコネクタ用抜止具セットとして販売することも可能であり、また、栄養剤バッグ２６とコネクタ１２とを接続する延長チューブなども、必要に応じてコネクタ用抜止具セット内に組み合わせても良い。
【００５１】
更にまた、本発明に係るコネクタ用抜止具１４の用途は、栄養剤の供給用の輸液ラインに限定されるものでなく、輸血ラインなどの各種の医療用ラインにおいて、医療用ケーブルのポート部からの抜け防止用に用いられ得る。
【００５２】
さらに、前述のコネクタ１２やコネクタ用抜止具１４は、材質や製造方法を限定されるものでなく、要求される硬度や弾性等のほか、用途や使用環境、滅菌方法などに応じて、例えばナイロンやポリプロピレン、フッ素樹脂等の合成樹脂やアルミニウム合金等の金属などからなる単体構造や複合構造をもって一体成形されたものが適宜に採用され得る。
【００５３】
また、コネクタ１２やコネクタ用抜止具１４の具体的構造は、前記実施形態によって限定されるものでなく、例えばポート部２０の外周面に段差部２２が設けられていない構造のコネクタや、弾性湾曲部３０や立上湾曲部５２に貫通窓３６，５４が設けられていない構造のコネクタ用抜止具も、本発明において採用可能である。更に、例えば弾性湾曲部３０において、貫通窓３６を、板幅方向で複数並列的に形成することにより、かかる弾性湾曲部３０を、３本以上のコード状湾曲体３８で構成することも可能である。
【００５４】
更にまた、コネクタ用抜止具１４の第１及び第２の延出片部３２，３４における第１及び第２の締付用突部４４，４６の具体的形状や大きさ等も任意に設定可能である。例えば、山形状とされた第１及び第２の締付用突部４４，４６における両傾斜面の傾斜角度を任意に設定することも可能であり、また、第１及び第２の締付用突部４４，４６の突出高さを板幅方向で部分的に異ならせて、弾性湾曲部３０におけるコード状湾曲体３８のように、医療用チューブ６６への押付力を集中的に作用させたり、ポート部２０の段差部２２への係合作用を発揮させたりすることも可能である。
【００５５】
さらに、コネクタ用抜止具１４における第１及び第２の延出片部３２，３４の各先端部分における係止構造も前記実施形態に限定されるものでなく、例えば、第２の延出片部３４に貫通孔を形成してその内周面を係止面とし、第１の延出片部３２の先端部分を小幅化して、かかる貫通孔へ挿通係止させたり、或いは、第２の延出片部３４の外側面に係止面を形成すると共に、第１の延出片部３２の先端部分に鉤型のフック状係止部を形成して、このフック状係止部を第２の延出片部３４の外側面に重ね合わせて係止させたりすること等も可能である。
【００５６】
また、第１及び第２の延出片部３２，３４の各先端部分における係止構造において、第１の延出片部３２の第２の延出片部３４に対する係止位置を、立上湾曲部５２の立上方向で多段階に設定可能とし、装着に際しての弾性湾曲部３０の曲率の程度を、医療用チューブ６６の外径寸法や医療用チューブ６６への締付力の程度などに応じて調節設定可能にすることもできる。
【００５７】
その他、一々列挙はしないが、本発明は当業者の知識に基づいて種々なる変更を加えた態様で実施することが可能であり、そのような各態様が、本発明の趣旨を逸脱しない限り、何れも、本発明の範囲内に含まれることとなる。
【符号の説明】
【００５８】
１０：コネクタ用抜止具セット、１２：コネクタ、１４：コネクタ用抜止具、１６：収容体、２０：ポート部、２６：栄養剤バッグ、３０：弾性湾曲部、３２：第１の延出片部、３４：第２の延出片部、３６：貫通窓、３８：コード状湾曲体、４４：第１の締付用突部、４６：第２の締付用突部、５０：係止部、６０：係止面、６６：医療用チューブ
【図３】
2015000155.tif 000003
【図７】
2015000155.tif 000004
【図１】
2015000155.tif 000005
【図２】
2015000155.tif 000006
【図４】
2015000155.tif 000007
【図５】
2015000155.tif 000008
【図６】
2015000155.tif 000009
【図８】
2015000155.tif 000010